(57)【要約】【課題】サブフィールド駆動において複数の色の混合比が異なる場合でも、表示できる階調数が制限されないようにする。【解決手段】フレームを複数のサブフィールドで構成し、表示パネル１００Ｒ、１００Ｇ、１００Ｂの画素を、階調レベルに応じた駆動パターンにしたがってサブフィールド毎にオンまたはオフ駆動する。ＲＧＢの混合比が同じである場合、各表示パネルにおけるオン駆動時の電圧レベルを同じにする。また、階調レベルに応じた駆動パターンは、各表示パネルで同じにする。ＲＧＢの混合比が異なる場合、混合比に応じて各表示パネルにおけるオン駆動時の電圧レベルを変更する。また、オン駆動時の電圧レベルの変更に伴い、階調レベルに応じた駆動パターンを、ＲＧＢの混合比が同じである場合から変更する。【選択図】図１
2011150004.tif 000002
【特許請求の範囲】
【請求項１】
複数の色毎に設けられた画素と、
前記画素を駆動する駆動回路を備えた電気光学装置であって、
前記駆動回路は、
前記複数の色の混合比に応じて、色毎に設定される駆動電圧と、
前記駆動電圧に対応し、フレームを構成する複数個のサブフィールド毎に、階調レベルに応じて前記画素をオンまたはオフする駆動パターンと、
に基づいて、前記画素を駆動し、
前記駆動電圧は、前記混合比の比率の異なる少なくとも一の色に対応する画素と、他の色の対応する画素とで、前記駆動電圧の電圧範囲が異なること
を特徴とする電気光学装置。
【請求項２】
前記駆動回路は、前記複数の色の混合比に応じて、各色に対応した画素毎に、同じ階調レベルに対する駆動電圧の電圧範囲を変更することを特徴とする請求項１に記載の電気光学装置。
【請求項３】
前記複数個のサブフィールド毎の期間が各々同じであり、
前記複数の色の混合比に応じた駆動電圧の電圧範囲の狭い色に対応した画素の駆動パターンは、前記駆動電圧の電圧範囲の広い色に対応した画素の駆動パターンと比較して、同じ階調レベルの場合、画素のオン駆動が連続する期間が長いこと
を特徴とする請求項１に記載の電気光学装置。
【請求項４】
前記複数個のサブフィールドは、期間の異なるサブフィールドを含み、
前記複数の色の混合比に応じた駆動電圧の電圧範囲の狭い色の画素の駆動に係る前記期間の異なるサブフィールドは、前記駆動電圧の電圧範囲の広い色の画素の駆動に係る前記期間の異なるサブフィールドと比較して、対応するサブフィールドの期間の長さが長いこと
を特徴とする請求項２に記載の電気光学装置。
【請求項５】
前記階調レベルが最大階調レベルの時には、前記複数個のサブフィールドのすべてで、前記画素をオン駆動する駆動パターンで駆動することを特徴とする請求項１に記載の電気光学装置。
【請求項６】
請求項１乃至５のいずれかに記載の電気光学装置を有する電子機器。
【発明の詳細な説明】
【技術分野】
【０００１】
本発明は、複数のサブフィールドの各々において、画素をオンまたはオフのいずれかで駆動する技術に関する。
【背景技術】
【０００２】
液晶素子やＥＬ（Electronic Luminescence）素子などのような表示素子を画素として有する電気光学装置において中間階調を表現するために、次のような技術が提案されている。すなわち、フレーム（フィールド）を分割した複数のサブフィールド毎に、画素をオンまたはオフのいずれか一方で駆動するとともに、オンまたはオフ駆動する時間の割合を変化させることによって中間階調を表現する技術が提案されている（特許文献１参照）。
【先行技術文献】
【特許文献】
【０００３】
【特許文献１】特開２００７−１４８４１７号公報
【発明の概要】
【発明が解決しようとする課題】
【０００４】
ところで、表示すべき画像を赤（Ｒ）色、緑（Ｇ）色、青（Ｂ）色の３つの原色で表す場合、電気光学装置を色毎に設け、各電気光学装置で得られる各色の画像を合成してカラー画像を得ることができる。このとき、画像の白バランスを調整することにより、ＲＧＢ三色の混合比が「１：１：１」とは異なる混合比になることがある。
例えば、ＲＧＢの混合比が「１：０．６：０．５」となった場合、赤の画像を表示する電気光学装置は、電気光学装置で表示できる階調を全て表示する。一方、緑の画像を表示する電気光学装置は、オン駆動の電圧が赤の画像を表示する電気光学装置と同じである場合、赤に対する緑の混合比が「１：０．６」であるため、中間階調までしか使用されず、赤と同じ階調数で画像を表示することができない。また、青の画像を表示する電気光学装置についても、オン駆動の電圧が赤の画像を表示する電気光学装置と同じである場合、赤に対する青の混合比が「１：０．５」であるため、中間階調までしか使用されず、赤と同じ階調数で画像を表示することができない。
【０００５】
本発明は、上述した事情に鑑みてなされたものであり、その目的の一つは、サブフィールド駆動において複数の色の混合比が異なる場合でも、表示できる階調数が制限されないようにする技術を提供することにある。
【課題を解決するための手段】
【０００６】
上記目的を達成するために、本発明に係る電気光学装置は、複数の色毎に設けられた画素と、前記画素を駆動する駆動回路を備えた電気光学装置であって、前記駆動回路は、前記複数の色の混合比に応じて、色毎に設定される駆動電圧と、前記駆動電圧に対応し、フレームを構成する複数個のサブフィールド毎に、階調レベルに応じて前記画素をオンまたはオフする駆動パターンと、に基づいて、前記画素を駆動し、前記駆動電圧は、前記混合比の比率の異なる少なくとも一の色に対応する画素と、他の色の対応する画素とで、前記駆動電圧の電圧範囲が異なることを特徴とする。
本発明によれば、サブフィールド駆動において、複数の色の混合比に応じて各色に対応した画素の駆動電圧の電圧範囲が異なることとなる。駆動電圧の電圧範囲を異ならせることにより、駆動電圧に対応した駆動パターンで駆動することができるので、色毎の駆動電圧の電圧範囲を異ならせることで、階調数が制限されることを防ぐことができる。
【０００７】
本発明において、前記駆動回路は、前記複数の色の混合比に応じて、各色に対応した画素毎に、同じ階調レベルに対する駆動電圧の電圧範囲を変更してもよい。この構成によれば、複数の色毎に混合比を設定し、複数の色毎に、フレームの全期間をオン駆動しても各色の混合比を設定された混合比とすることができる。
また、上記構成において、前記複数個のサブフィールド毎の期間が各々同じであり、前記複数の色の混合比に応じた駆動電圧の電圧範囲の狭い色に対応した画素の駆動パターンは、前記駆動電圧の電圧範囲の広い色に対応した画素の駆動パターンと比較して、同じ階調レベルの場合、画素のオン駆動が連続する期間が長い構成であってもよい。
また、上記構成において、前記複数個のサブフィールドは、期間の異なるサブフィールドを含み、前記複数の色の混合比に応じた駆動電圧の電圧範囲の狭い色の画素の駆動に係る前記期間の異なるサブフィールドは、前記駆動電圧の電圧範囲の広い色の画素の駆動に係る前記期間の異なるサブフィールドと比較して、対応するサブフィールドの期間の長さが長い構成であってもよい。
また、上記構成において、前記階調レベルが最大階調レベルの時には、前記複数個のサブフィールドのすべてで、前記画素をオン駆動する駆動パターンで駆動する構成であってもよい。
なお、本発明は、電気光学装置のみならず、当該電気光学装置を有する電子機器としても概念することが可能である。
【図面の簡単な説明】
【０００８】
【図１】第１実施形態に係る電気光学装置の構成を示すブロック図。
【図２】電気光学装置における表示パネルの構成を示す図。
【図３】表示パネルにおける画素の構成を示す図。
【図４】電気光学装置におけるフレームを示す図。
【図５】ＬＵＴ２００Ｒ、２００Ｇ、２００Ｂを示した図。
【図６】ＬＵＴ２０１Ｒ、２０１Ｇ、２０１Ｂを示した図。
【図７】電気光学装置における走査線駆動回路等の動作を示す図。
【図８】第２実施形態に係る電気光学装置における走査線駆動回路等の動作を示す図。
【図９】第２実施形態に係るサブフィールドを示した図。
【図１０】ＬＵＴ２０２Ｒを示した図。
【図１１】ＬＵＴ２０３Ｇを示した図。
【図１２】ＬＵＴ２０３Ｂを示した図。
【図１３】電気光学装置を適用したプロジェクターの構成を示す図。
【発明を実施するための形態】
【０００９】
［第１実施形態］
図１は、第１実施形態に係る電気光学装置の全体構成を示すブロック図である。この図に示されるように、電気光学装置１０は、タイミング制御回路２０、画質調整部３０、メモリー制御部４０、メモリー４５、ＳＦコード変換部５２、電圧制御部６０および表示パネル１００Ｒ、１００Ｇ、１００Ｂを含む。なお、表示パネル１００Ｒ、１００Ｇ、１００Ｂは、各々同じ構成であるため、以下の説明において特に区別する必要のない場合は符号の末尾のアルファベットを省略して説明する。
電気光学装置１０には、図示省略した上位回路から映像信号Vidが供給される。映像信号Vidは、画像を３つの原色、即ち、赤（Ｒ）色、緑（Ｇ）色、青（Ｂ）色の三成分で表す信号である。映像信号Vidは、画像における各画素の階調レベルをＲ、Ｇ、Ｂの色毎にそれぞれ規定する。なお、映像信号Vidは、同期信号Syncに含まれる垂直走査信号、水平走査信号およびドットクロック信号（いずれも図示省略）にしたがって走査される画素の順で供給される。
【００１０】
タイミング制御回路２０は、上記同期信号Syncに基づいて各部を制御する。
画質調整部３０は、映像信号Vidで規定される画像の明るさや色合いなどを、表示パネル１００の表示特性や、図示省略した各種操作子の設定状況に合わせて前処理するとともに、処理した映像信号Daを出力する。また、画質調整部３０は、図示省略した各種操作子に行われた操作に応じて画像における最大階調レベル時のＲ、Ｇ、Ｂの三成分の混合比を調整する。例えば本実施形態においては、操作子により最大階調レベルの時の画像のＲ成分、Ｇ成分、Ｂ成分の混合比が「１：１：１」にされる場合と、最大階調レベルの時の画像のＲ成分、Ｇ成分、Ｂ成分の混合比が「１：０．６：０．５５」にされる場合がある。最大階調レベルの時の画像のＲ成分、Ｇ成分、Ｂ成分の混合比を変更することにより、各色の画像が合成された後の画像の白バランスが変更される。なお、本実施形態において、上位回路から供給される映像信号Vidは、アナログ信号でもあっても良いし、デジタル信号でもあっても良いが、アナログ信号であれば、画質調整部３０によってデジタル信号に変換される。
また、画質調整部３０は、Ｒ成分、Ｇ成分、Ｂ成分の混合比を表す制御信号CaをＳＦコード変換部５２と電圧制御部６０へ出力する。
【００１１】
図２は、表示パネル１００Ｒの構成を示す図である。表示パネル１００Ｒは、例えばアクティブ・マトリクス型であって透過型の液晶表示パネルであり、画素毎に透過率を変調した透過像を生成するものである。
図２に示されるように、表示パネル１００Ｒには、例えば１、２、３、…、１０８０行の走査線１１２が図において横方向に延在するように設けられ、また、１、２、３、…、１９２０列のデータ線１１４が図において縦方向に延在するように、かつ、各走査線１１２と互いに電気的に絶縁を保つように設けられている。そして、１０８０行の走査線１１２と１９２０列のデータ線１１４との交点のそれぞれに対応して、画素１１０がそれぞれ配列している。したがって、本実施形態では、画素１１０が縦１０８０行×横１９２０列でマトリクス状に配列することになる。なお、このように画素１１０の配列する領域が表示領域１０１である。
【００１２】
表示領域１０１の周辺には、走査線駆動回路１３０とデータ線駆動回路１４０とがそれぞれ設けられている。このうち、走査線駆動回路１３０は、１〜１０８０行の走査線１１２にそれぞれ走査信号を供給するものである。本実施形態において走査線駆動回路１３０は、制御信号Yctによって走査線１１２を１、２、３、…、１０８０行目という順番で選択するとともに、選択した走査線への走査信号を選択電圧とする一方、それ以外の、非選択に係る走査線への走査信号を非選択電圧とする。なお、１、２、３、…、１０８０行目の走査線１１２に供給される走査信号をそれぞれG1、G2、G3、…、G1080と表記している。
一方、データ線駆動回路１４０は、タイミング制御回路２０から供給される制御信号Xctにしたがって、１〜１９２０列目のデータ線１１４の各々にそれぞれデータ信号を供給するものである。データ線駆動回路１４０は、メモリー制御部４０から供給されるサブフィールド（ＳＦ）ビットSbrに応じたデータ信号を供給する。なお、１、２、３、…、１９２０列目のデータ線１１４に供給されるデータ信号を、それぞれd1、d2、d3、…、d1920と表記している。
また、データ線駆動回路１４０は、電圧制御部６０から供給される制御信号Cbrに応じて画素１００をオンするデータ信号のオンレベルを設定する。
【００１３】
なお、表示パネル１００Ｇと表示パネル１００Ｂは、データ線駆動回路１４０に供給される信号が異なる以外は、表示パネル１００Ｒと構成は同じである。
表示パネル１００Ｇのデータ線駆動回路１４０には、メモリー制御部４０からＳＦビットSbgが供給され、電圧制御部６０から制御信号Cbgが供給される。表示パネル１００Ｇのデータ線駆動回路１４０は、ＳＦビットSbrに応じたデータ信号を供給する。また、表示パネル１００Ｇのデータ線駆動回路１４０は、制御信号Cbgに応じてデータ信号のオンレベルを設定する。
また、表示パネル１００Ｂのデータ線駆動回路１４０には、メモリー制御部４０からＳＦビットSbbが供給され、電圧制御部６０から制御信号Cbbが供給される。表示パネル１００Ｂのデータ線駆動回路１４０は、ＳＦビットSbbに応じたデータ信号を供給する。また、表示パネル１００Ｂのデータ線駆動回路１４０は、制御信号Cbbに応じてデータ信号のオンレベルを設定する。
【００１４】
図３は、表示パネル１００における画素１１０の等価回路の一例を示す図である。
この図に示されるように、画素１１０は、画素電極１１８とコモン電極１０８とで液晶１０５を挟持した液晶素子１２０と、走査線１１２に選択電圧が印加されたときにデータ線１１４と画素電極１１８との間で導通状態となり、非選択電圧が印加されたときに非導通状態となる薄膜トランジスター（Thin Film Transistor：以下単に「ＴＦＴ」と表記する）１１６とを有する構成である。
なお、コモン電極１０８は各画素にわたって共通であり、図示省略した回路によって電圧LCcomが印加される。また、画素１１０では、液晶素子１２０に対して並列に補助容量（蓄積容量）１２５が設けられる。この補助容量１２５は、一端が画素電極１１８に接続され、他端が容量線１１５に共通接続されている。容量線１１５は時間的に一定の電圧に保たれている。
このような構成において、画素１１０では、走査線１１２に選択電圧が印加されたときにＴＦＴ１１６が導通状態になって、データ線１１４に供給されたデータ信号の電圧が画素電極１１８に印加される。一方、走査線１１２への選択電圧の印加が終了して非選択電圧が印加されたときにＴＦＴ１１６が非導通状態になるが、液晶素子１２０は、ＴＦＴ１１６の導通状態であったときに画素電極１１８に印加されたデータ信号の電圧を、その容量性によって走査線１１２に選択電圧が再び印加されるまで保持する。
【００１５】
ところで、本実施形態において、画素１１０はオンまたはオフのいずれかで駆動されるので、データ信号は、ＳＦビットの“１”に応じたオンレベル（画素１１０をオンする駆動電圧の電圧レベル）、または“０”に応じたオフレベル（画素１１０をオフする駆動電圧の電圧レベル）のいずれかとなる。
ここで、液晶素子１２０をノーマリーブラックモードとしたとき、オンレベルとは、液晶素子１２０に電圧を印加して明状態にさせるデータ信号をいい、オフレベルとは、液晶素子１２０に電圧を印加しないで（または、印加電圧をゼロ近傍とする電圧を印加して）暗状態にさせるデータ信号をいう。液晶素子１２０を交流駆動する場合に、オンレベルは、振幅中心電圧に対して高位側とする正極性と、振幅中心電圧に対して低位側とする負極性との２種類が必要となる。一方、オフレベルは、液晶素子１２０に電圧を印加しないのであれば、コモン電極１０８に印加される電圧LCcomの１種類であり、極性に無関係であるが、印加電圧をゼロ近傍とする電圧を印加するのであれば、振幅中心電圧に対して正極性と、負極性との２種類が必要となる。
なお、本説明において、走査信号やデータ信号の電圧については、図示省略した接地電位Gndを電圧ゼロの基準としている。ただし、液晶素子１２０の印加電圧については、コモン電極１０８の電圧LCcomと画素電極１１８との電位差とする。また、コモン電極１０８に印加される電圧LCcomは、上記振幅中心電圧と同電圧と考えてよい。ただし、ｎチャネル型のＴＦＴ１１６のオフリーク等を考慮して、電圧LCcomを振幅中心電圧よりも低位となるように調整されることがある。
【００１６】
次に、本実施形態において、各画素についての単位期間であるフレームは、図４に示されるような構成である。
図に示したように、フレームは、計２０個の等幅のサブフィールドに分割されている。換言すると、各サブフィールドは、互いに同じ重み（時間的な長さ（期間））のサブフィールドに分割されている。本実施形態では、フレームが計２０個のサブフィールドによって構成されることになるので、これらのサブフィールドを区別するために、時間的な順序でsf1〜sf20と表記する。
なお、走査線の単位期間であるフレームは、垂直同期信号Vsの周波数が６０Ｈｚであれば、その逆数に相当する１６．７ミリ秒に相当する。また、各画素におけるサブフィールドのオン駆動（オンレベルの駆動電圧を印加）またはオフ駆動（オフレベルの駆動電圧を印加）は、走査線の選択時になされるので、厳密にいえば、フレームは、時間的にみて走査線毎にタイミングが異なる。
【００１７】
上述したように、画素１１０において、走査線１１２が選択されたときに画素電極１１８に印加されたオンレベルまたはオフレベルは、走査線１１２が再び選択されるまで保持される。したがって、画素１１０を、あるサブフィールドに応じた期間だけオンまたはオフ駆動の状態にさせるためには、走査線を選択して、液晶素子１２０にＳＦビットに応じた（データ信号の）オンレベルまたはオフレベルを書き込んでから、再び当該走査線を選択するまでの期間を、当該サブフィールドに応じた期間とすれば良いことになる。
【００１８】
電圧制御部６０は、画質調整部３０から供給される制御信号Caを取得し、取得した制御信号Caに応じてデータ信号のオンレベルの電圧を設定するものである。
電圧制御部６０は、制御信号CaがＲ成分、Ｇ成分、Ｂ成分の混合比として「１：１：１」を表す場合、表示パネル１００Ｒに係るデータ線駆動回路１４０へ、オンレベルの電圧を５Ｖにするように指示する制御信号Cbrを出力する。また、電圧制御部６０は、表示パネル１００Ｇに係るデータ線駆動回路１４０については、オンレベルの電圧を５Ｖにするように指示する制御信号Cbgを出力し、表示パネル１００Ｂに係るデータ線駆動回路１４０については、オンレベルの電圧を５Ｖにするように指示する制御信号Cbbを出力する。
一方、電圧制御部６０は、制御信号CaがＲ成分、Ｇ成分、Ｂ成分の混合比として「１：０．６：０．５５」を表す場合、表示パネル１００Ｒに係るデータ線駆動回路１４０へ、オンレベルの電圧を５Ｖにするように指示する制御信号Cbrを出力する。また、電圧制御部６０は、表示パネル１００Ｇに係るデータ線駆動回路１４０については、オンレベルの電圧を３．２Ｖにするように指示する制御信号Cbgを出力し、表示パネル１００Ｂに係るデータ線駆動回路１４０については、オンレベルの電圧を３Ｖにするように指示する制御信号Cbbを出力する。
【００１９】
なお、Ｒ成分、Ｇ成分、Ｂ成分の混合比を「１：０．６：０．５５」にした場合のオンレベルの電圧については、以下のようにして予め決定される。
まず、オンレベルの電圧を５Ｖにして１フレームの期間の全てをオンレベルとした時の表示パネル１００の透過率を規格化して１とする。次に、１フレームの期間の全てをオンレベルとしつつオンレベルの電圧を下げていきながら表示パネル１００の透過率を測定し、表示パネル１００の透過率を０から１までの間で規格化したＶＴ特性（電圧−透過率特性）を得る。これにより、オンレベルをオフレベルの０Ｖから５Ｖまでの間（駆動電圧のオンレベルとオフレベル間の電圧範囲（ダイナミックレンジ））で変化させた時のＶＴ特性が得られる。
次に、本実施形態では、表示パネル１００Ｇについて、Ｇ成分の最大階調レベル時に１フレームの期間の全てをオンレベルにする。Ｒ成分に対するＧ成分の混合比を「１：０．６」（比率を０．６）にした場合、Ｇ成分が最大階調レベルである時は、１フレームの期間の全てをオンレベルにして透過率を０．６にする。０．６の透過率を得られる電圧を予め測定したＶＴ特性から求めると、本実施形態においては３．２Ｖとなったため、オンレベルの電圧を３．２Ｖとした。
また、本実施形態では、表示パネル１００Ｂについて、Ｂ成分の最大階調レベル時に１フレームの期間の全てをオンレベルにする。Ｒ成分に対するＢ成分の混合比を「１：０．５５」（比率を０．５５）にした場合、Ｂ成分が最大階調レベルである時は、１フレームの期間の全てをオンレベルにした時の透過率を０．５５にする。０．５５の透過率を得られる電圧を予め測定したＶＴ特性から求めると、本実施形態においては３Ｖとなったため、オンレベルの電圧を３Ｖとした。
【００２０】
ＳＦコード変換部５２は、映像信号Daの階調レベルに応じてＲ成分、Ｇ成分、Ｂ成分の色毎にＳＦコードScr、ＳＦコードScg、ＳＦコードScbを生成するものである。なお、本実施形態では、映像信号Daを８ビットとして、画素で表現すべき階調レベルを十進値で、最も暗い「０」から最も明るい「２５５」まで「１」刻みで２５６階調を指定している。
ＳＦコード変換部５２は、Ｒ成分、Ｇ成分、Ｂ成分の色毎に階調レベルとＳＦコードの対応関係を表したＬＵＴ（Look Up Table）を有している。また、ＬＵＴは、Ｒ成分、Ｇ成分、Ｂ成分の混合比毎にも設けられており、例えば、画質調整部３０から供給される制御信号CaがＲ成分、Ｇ成分、Ｂ成分の混合比として「１：１：１」を表す場合には、図５のＬＵＴ２００Ｒ、２００Ｇ、２００Ｂが用いられてＳＦコードScr、ＳＦコードScg、ＳＦコードScbが生成される。また、制御信号CaがＲ成分、Ｇ成分、Ｂ成分の混合比として「１：０．６：０．５」を表す場合には、図６のＬＵＴ２０１Ｒ、２０１Ｇ、２０１Ｂを用いてＳＦコードScr、ＳＦコードScg、ＳＦコードScbが生成される。
このＳＦコードは、液晶素子における光学応答性を利用したものである。ＳＦコードScr、ＳＦコードScg、ＳＦコードScbは、ビットc1〜c20の２０ビットで構成されており、ビットc1〜c0を順にサブフィールドsf1〜sf20のオンオフ駆動を指定するものとして配列させたものである。
【００２１】
図５に示したＳＦコードについて説明すると、本実施形態で用いる液晶素子のように光学応答が比較的遅い素子では、画素電極へのオンレベル（オフレベル）の印加に対して透過率が緩慢に変化する。このため、ノーマリーブラックモードにおいて、時間的に隣接するサブフィールドで連続的にオン駆動（オンレベルの駆動電圧を印加）させたときと、時間的に離れたサブフィールドで離散的にオン駆動させたときとでは、フレームにおいてオン駆動の占める期間が同じであっても、実際の透過率は、連続的にオン駆動させたときの方が離散的にオン駆動させたときよりも大きくなる（明るくなる）。図５では、この特性を利用している。
なお、Ｒ成分、Ｇ成分、Ｂ成分の混合比が「１：１：１」である場合には、オンレベルの電圧は、表示パネル１００Ｒ、１００Ｇ、１００Ｂにおいて５Ｖ（オフレベルは０Ｖ）で同じであるため、ＬＵＴ２００Ｒ、２００Ｇ、２００Ｂの内容はいずれも同じとなっている。
【００２２】
一方、Ｒ成分、Ｇ成分、Ｂ成分の混合比が「１：０．６：０．５５」である場合、オンレベルの電圧は、表示パネル１００Ｒにおいては５Ｖ（オフレベルは０Ｖ）、表示パネル１００Ｇにおいては３．２Ｖ（オフレベルは０Ｖ）、表示パネル１００Ｂにおいては３Ｖ（オフレベルは０Ｖ）となる。オンレベルの電圧が変わることでオンレベルとオフレベル間の電圧範囲（ダイナミックレンジ）が変わり、液晶の応答速度が変化するため、０から２５５の２５６段階で階調レベルを変化させられるように、電圧範囲に合わせて図５のＬＵＴ２００Ｇ、２００ＢからＳＦコードが最適化されて図６に示したＬＵＴ２０１Ｇ、２０１Ｂとなっている。なお、ＬＵＴ２０１ＧとＬＵＴ２０１Ｂにおいては、階調レベル毎にＳＦコードが異なるものとなっている。
また、オンレベルの電圧が低くなり、電圧範囲が狭くなるほど、同じ階調レベルを表す場合でもオン駆動が続くようにＳＦコードが決められている。
例えば、ＬＵＴ２０１Ｒ、２０１Ｇ、２０１Ｂについて階調レベルが１の行を見ると、オンレベルの電圧が最も高く、電圧範囲が広いＲ成分については、ビットc1でオン駆動となり、ビットc2、c3でオフ駆動となっており、中間のＧ成分については、ビットc1とビットc3でオン駆動となり、ビットc2でオフ駆動となっているが、オンレベルの電圧が最も低く電圧範囲が狭くなるＢ成分については、ビットc1とビットc2でオン駆動が続いている。
【００２３】
メモリー制御部４０は、タイミング制御回路２０による制御にしたがって、ＳＦコードScr、ＳＦコードScg、ＳＦコードScbをメモリー４５に書き込む。また、メモリー制御部４０は、メモリー４５に記憶されたＳＦコードScr、ＳＦコードScg、ＳＦコードScbを読み出し、読み出したＳＦコードのビットc1〜c20のうち、いずれかの１ビットを、表示パネル１００における駆動タイミング（サブフィールド）に応じてＳＦビットSbr、ＳＦビットSbg、ＳＦビットSbbとして出力する。
例えば、表示パネル１００における駆動タイミングがサブフィールドsf5であれば、記憶されているＳＦコードのうち、ビットc5がＳＦビットとして出力される。また。表示パネル１００における駆動タイミングがサブフィールドsf13であれば、記憶されているＳＦコードのうち、ビットc13がＳＦビットとして出力される。
【００２４】
このように本実施形態では、ＳＦコード変換部５２がＲ成分、Ｇ成分、Ｂ成分の混合比に応じて映像信号DaをＳＦコードに変換し、メモリー制御部４０から出力されるＳＦビットをデータ信号駆動回路１４０がデータ信号に変換して、データ線１１４に供給する。また、走査線駆動回路１３０がデータ信号を供給すべき画素の行に対応する走査線１１２を選択することによって、画素をオンまたはオフ駆動することになる。また、本実施形態では、映像信号DaにおけるＲ成分、Ｇ成分、Ｂ成分の混合比に応じて各色に対応した表示パネルのデータ信号のオンレベルを設定することになる。
【００２５】
［実施形態の動作］
次に、実施形態に係る電気光学装置１０の全体的な動作について説明する。
図示省略した操作子にされた操作が、表示すべき画像におけるＲ成分、Ｇ成分、Ｂ成分の混合比を「１：１：１」にするよう指示するものであると、画質調整部３０は、Ｒ成分、Ｇ成分、Ｂ成分の混合比を表す制御信号CaをＳＦコード変換部５２と電圧制御部６０へ出力する。
【００２６】
電圧制御部６０は、制御信号Caを取得すると、表示パネル１００Ｒに係るデータ線駆動回路１４０へ、オンレベルの電圧を５Ｖにするように指示する制御信号Cbrを出力する。また、電圧制御部６０は、表示パネル１００Ｇに係るデータ線駆動回路１４０については、オンレベルの電圧を５Ｖにするように指示する制御信号Cbgを出力し、表示パネル１００Ｂに係るデータ線駆動回路１４０については、オンレベルの電圧を５Ｖにするように指示する制御信号Cbbを出力する。
【００２７】
ＳＦコード変換部５２は、制御信号Caが「１：１：１」の混合比を表すものである場合、画質調整部３０から供給される映像信号Daを、図５のＬＵＴ２００Ｒ、２００Ｇ、２００Ｂを用いてＳＦコードに変換する。
ここで、映像信号DaにおけるＲの成分の階調レベルが２５５である場合、ＳＦコードScrは、ビットｃ1〜ｃ20の２０ビット全てが「１」となる。また、映像信号DaにおけるＧの成分の階調レベルが２５５である場合、ＳＦコードScgは、ビットｃ1〜ｃ20の２０ビット全てが「１」となり、映像信号DaにおけるＢの成分の階調レベルが２５５である場合、ＳＦコードScbは、ビットｃ1〜ｃ20の２０ビット全てが「１」となる。ＳＦコード変換部５２で生成されたＳＦコードScr、ＳＦコードScg、ＳＦコードScbは、メモリー制御部４０によってメモリー４５に書き込まれる。
【００２８】
一方、同期信号Syncに含まれる垂直走査信号Vsが図７の（ａ）に示されるように供給される時、タイミング制御回路２０は、スタートパルスDyを、１行目の画素におけるsf1〜sf20の開始タイミングに合わせて走査線駆動回路１３０に供給する。なお、スタートパルスDyは、走査線駆動回路１３０に供給される制御信号Yctに含まれる。この制御信号Yctには、スタートパルスDyを転送するためのクロック信号も含まれる（図示省略）。また、タイミング制御回路２０は、データ信号駆動回路１４０に対して所定の周期毎に、例えば１フレーム毎に、データ信号の極性反転を指定する。ここで、極性を指定する信号Frpは、データ線駆動回路１４０に供給される制御信号Xctに含まれる。
【００２９】
走査線駆動回路１３０は、上記クロック信号にしたがってスタートパルスDyを転送等することによって走査信号G1〜G1080を出力する。図７の（ｂ）は、走査線の１〜１０８０行を縦軸にとり、時間を横軸としたときに、走査信号G1〜G1080によって選択される走査線の時間的推移を示す図である。走査線の選択を仮に走査線毎の黒棒で示したとき、走査線は排他的に選択されるので、走査線の選択における時間的推移は、実際には黒棒の連続点で示されるが、簡略的に表記するため、同図においては右下がりの実線で示している。
【００３０】
表示パネル１００Ｒ、１００Ｇ、１００ＢへのＳＦビットSbr、ＳＦビットSbg、ＳＦビットSbbの供給については、まず、メモリー制御部４０が、タイミング制御回路２０による制御にしたがって、ある行の走査線の選択前に、当該行であって１〜１９２０列の画素に対応した１行分のＳＦコードScr、ＳＦコードScg、ＳＦコードScbをメモリー４５から読み出す。
メモリー制御部４０は、読み出したＳＦコードScrのいずれかの１ビットを、現時点における表示パネル１００Ｒの駆動タイミング（サブフィールド）に応じて選択して出力する。また、メモリー制御部４０は、読み出したＳＦコードScgのいずれかの１ビットを、現時点における表示パネル１００Ｇの駆動タイミング（サブフィールド）に応じて選択して出力し、読み出したＳＦコードScbのいずれかの１ビットを、現時点における表示パネル１００Ｂの駆動タイミング（サブフィールド）に応じて選択して出力する。
なお、タイミング制御回路２０は、垂直同期信号Vsで規定されるフレームにおけるスタートパルスDyの出力回数を、現時点における表示パネル１００のサブフィールドを示す情報としてメモリー制御部４０に供給する。これにより、メモリー制御部４０は、現時点における表示パネル１００の駆動タイミング（サブフィールド）を知ることができる。
【００３１】
ある行の走査線が走査線駆動回路１３０によって選択される前に、メモリー４５から当該行のＳＦコードScr、ＳＦコードScg、ＳＦコードScbが読み出されて、ＳＦビットSbr、ＳＦビットSbg、ＳＦビットSbbがデータ線駆動回路１４０に供給される。このため、データ線駆動回路１４０には、当該走査線の選択前において、当該走査線に対応する１〜１９２０列の画素に対応し、かつ、当該選択において書き込むべきサブフィールドに対応したＳＦビットSbr、ＳＦビットSbg、ＳＦビットSbbが供給されていることになる。
表示パネル１００Ｒ、１００Ｇ、１００Ｂのデータ線駆動回路１４０は、当該１行分のＳＦビットを、それぞれタイミング制御信号によって指定された極性のオンレベルまたはオフレベルのデータ信号に変換するとともに、当該行の走査線が選択されたときに、データ信号を１〜１９２０列のデータ線１１４に供給する。
【００３２】
なお、データ線駆動回路１４０は、電圧制御部６０から供給される制御信号Cbr、制御信号Cbg、制御信号Cbbによってデータ信号のオンレベルの電圧を設定する。上述したように、制御信号Cbr、制御信号Cbg、制御信号Cbbは、いずれもオンレベルの電圧を５Ｖにするように指示するものであるため、表示パネル１００Ｒのデータ線駆動回路１４０は、オンレベルの電圧を５Ｖにする。また、表示パネル１００Ｇと表示パネル１００Ｂのデータ線駆動回路１４０も、オンレベルの電圧を５Ｖにする。
【００３３】
当該行の走査線が選択されたとき、データ線１１４に供給されたデータ信号は、当該行に対応するＴＦＴ１１６が導通状態となることによって液晶素子１２０の画素電極１１８に印加され、これにより、当該液晶素子１２０は、指定された極性でオンまたはオフ駆動されることになる。
なお、当該走査線の選択が終了すると、ＴＦＴ１１６が非導通状態となるが、液晶素子１２０は、ＴＦＴ１１６の導通状態であったときに画素電極１１８に印加された電圧を、液晶素子の容量性および補助容量１２５によって保持するので、次回走査線が再び選択されるまで、オンまたはオフ駆動の状態に維持される。
【００３４】
このような動作が１つのサブフィールドにおいて１〜１０８０行目について順番に実行される。さらに、この１つサブフィールドの動作が１フレームにおいてサブフィールドsf1〜sf20の順番に実行される。
これにより、各画素は、サブフィールドsf1〜sf20のそれぞれにおいて、ＳＦビットに応じてオンまたはオフ駆動されるので、フレームを単位期間としてみたときの平均的な透過率は、階調レベルに応じた値となって、これにより階調が表現されることになる。
【００３５】
次に、Ｒ成分、Ｇ成分、Ｂ成分の混合比を変更した場合の動作について説明する。
図示省略した操作子にされた操作が、表示すべき画像におけるＲ成分、Ｇ成分、Ｂ成分の混合比を「１：０．６：０．５５」にするよう指示するものであると、画質調整部３０は、Ｒ成分、Ｇ成分、Ｂ成分の混合比を表す制御信号CaをＳＦコード変換部５２と電圧制御部６０へ出力する。
【００３６】
電圧制御部６０は、制御信号Caを取得すると、表示パネル１００Ｒに係るデータ線駆動回路１４０へ、オンレベルの電圧を５Ｖにするように指示する制御信号Cbrを出力する。また、電圧制御部６０は、表示パネル１００Ｇに係るデータ線駆動回路１４０については、オンレベルの電圧を３．２Ｖにするように指示する制御信号Cbgを出力し、表示パネル１００Ｂに係るデータ線駆動回路１４０については、オンレベルの電圧を３Ｖにするように指示する制御信号Cbbを出力する。
【００３７】
ＳＦコード変換部５２は、制御信号Caが「１：０．６：０．５５」の混合比を表すものである場合、画質調整部３０から供給される映像信号Daを、図６のＬＵＴ２０１Ｒ、２０１Ｇ、２０１Ｂを用いてＳＦコードに変換する。
ここで、映像信号DaにおけるＲの成分の階調レベルが２５５である場合、ＳＦコードScrは、ビットｃ1〜ｃ20の２０ビット全てが「１」となる。また、映像信号DaにおけるＧの成分の階調レベルが２５５である場合、ＳＦコードScgは、ビットｃ1〜ｃ20の２０ビット全てが「１」となり、映像信号DaにおけるＢの成分の階調レベルが２５５である場合、ＳＦコードScbは、ビットｃ1〜ｃ20の２０ビット全てが「１」となる。ＳＦコード変換部５２で生成されたＳＦコードScr、ＳＦコードScg、ＳＦコードScbは、メモリー制御部４０によってメモリー４５に書き込まれる。
【００３８】
そして、同期信号Syncに含まれる垂直走査信号Vsが図７の（ａ）に示されるように供給される時、タイミング制御回路２０は、スタートパルスDyを、１行目の画素におけるｓｆ1〜ｓｆ20の開始タイミングに合わせて走査線駆動回路１３０に供給する。走査線駆動回路１３０は、スタートパルスDyを、上記クロック信号にしたがって転送等することによって走査信号G1〜G1080を出力する。
【００３９】
表示パネル１００Ｒ、１００Ｇ、１００ＢへのＳＦビットSbr、ＳＦビットSbg、ＳＦビットSbbの供給については、まず、メモリー制御部４０が、タイミング制御回路２０による制御にしたがって、ある行の走査線の選択前に、当該行であって１〜１９２０列の画素に対応した１行分のＳＦコードScr、ＳＦコードScg、ＳＦコードScbをメモリー４５から読み出す。
メモリー制御部４０は、読み出したＳＦコードScrのいずれかの１ビットを、現時点における表示パネル１００Ｒの駆動タイミング（サブフィールド）に応じて選択して出力する。また、メモリー制御部４０は、読み出したＳＦコードScgのいずれかの１ビットを、現時点における表示パネル１００Ｇの駆動タイミング（サブフィールド）に応じて選択して出力し、読み出したＳＦコードScbのいずれかの１ビットを、現時点における表示パネル１００Ｂの駆動タイミング（サブフィールド）に応じて選択して出力する。
【００４０】
表示パネル１００Ｒ、１００Ｇ、１００Ｂのデータ線駆動回路１４０は、当該１行分のＳＦビットを、それぞれタイミング制御信号によって指定された極性のオンレベルまたはオフレベルのデータ信号に変換するとともに、当該行の走査線が選択されたときに、データ信号を１〜１９２０列のデータ線１１４に供給する。
【００４１】
なお、データ線駆動回路１４０は、オンレベルの電圧については、電圧制御部６０から供給される制御信号Cbr、制御信号Cbg、制御信号Cbbによってデータ信号のオンレベルを設定する。上述したように、制御信号Cbrは、オンレベルの電圧を５Ｖにするように指示するものであるため、表示パネル１００Ｒのデータ線駆動回路１４０は、オンレベルの電圧を５Ｖにする。また、制御信号Cbgは、オンレベルの電圧を３．２Ｖにするように指示するものであるため、表示パネル１００Ｇのデータ線駆動回路１４０は、オンレベルの電圧を３．２Ｖにする。また、制御信号Cbbは、オンレベルの電圧を３Ｖにするように指示するものであるため、表示パネル１００Ｂのデータ線駆動回路１４０は、オンレベルの電圧を３Ｖにする。
【００４２】
当該行の走査線が選択されたとき、データ線１１４に供給されたデータ信号は、当該行に対応するＴＦＴ１１６が導通状態となることによって液晶素子１２０の画素電極１１８に印加され、これにより、当該液晶素子１２０は、指定された極性でオンまたはオフ駆動されることになる。
【００４３】
表示パネル１００Ｇ、１００Ｂにおけるオンレベルの電圧を５Ｖ（オフレベルを０Ｖ）に固定して、Ｒ成分、Ｇ成分、Ｂ成分の混合比を「１：０．６：０．５５」にした場合、表示パネル１００Ｇ、１００Ｂについては、中間階調までしか使用しないことにより、「１：０．６：０．５５」という混合比を実現することとなる。しかしながら、この構成では、０から中間階調までのＳＦコードを２５６段階の階調レベルに割り当てるため、映像信号における階調レベルが異なっていても、ＳＦコードとしては同じコードになる場合があり、実際に表示される階調レベルは２５６段階より少ないものとなってしまう。
【００４４】
一方、本実施形態によれば、ＳＦコードについては、２５６段階で階調レベル毎に異なるＳＦコードを割り当てることができ、混合比の調整についてはオンレベルの電圧によって混合比の調整が行われるため、２５６段階で階調レベルを変更して表示することができる。
【００４５】
［第２実施形態］
次に、本発明の第２実施形態について説明する。上述した第１実施形態は、１フレームを等幅のサブフィールドに分割した例であったが、第２実施形態は、１フレームを２つのグループに分け、各グループを異なる期間のサブフィールドに分割した例である。なお、第２実施形態では、第１グループと第２グループとで、信号Frpによってデータ信号の極性がグループ毎に切り替えられる。
【００４６】
具体的には、本実施形態では、図８の（ａ）に示されるように、フレームが第１グループと第２グループに分けられるとともに、各グループが、互いに異なる重み（時間的な長さ（期間）の大小をいい、期間が短い場合を重みが小さいといい、期間が長い場合を重みが大きいという）の１０のサブフィールドに分けられている。このため、本実施形態では、１つのフレームが計２０個のサブフィールドによって構成されることとなる。
なお、本実施形態では、Ｒ成分、Ｇ成分、Ｂ成分の混合比が「１：１：１」の場合には、各表示パネルにおいて、サブフィールドの重みは同じである。
一方、Ｒ成分、Ｇ成分、Ｂ成分の混合比が「１：０．６：０．５５」に変更されると、表示パネル１００Ｇと表示パネル１００Ｂについては、サブフィールドの重みが変更される。例えば、図９に示したように、小さい重みのサブフィールドは、オンレベルが低くなり、駆動電圧のオンレベルとオフレベル間の電圧範囲が狭くなるにつれて重みが大きくなり、表示パネル１００Ｒのサブフィールドsf1より表示パネル１００Ｇのサブフィールドsf1のほうが重みが大きくなる。また、表示パネル１００Ｇのサブフィールドsf1より表示パネル１００Ｂのサブフィールドsf1のほうが重みが大きくなる。
なお、本実施形態においては、オンレベルが低くなり、駆動電圧のオンレベルとオフレベル間の電圧範囲が狭くなるにつれて重みが大きくなるサブフィールドは、１つのグループにおいて、予め定められたサブフィールドまで（例えば、sf1からsf7までとsf11からsf17まで）としてもよい。また、駆動電圧の電圧範囲に応じて重みを変更するサブフィールドは、sf1からsf7までとsf11からsf17までに限定されるものではなく、他のサブフィールドであってもよい。
【００４７】
また、本実施形態では、サブフィールドの幅が等幅ではないため、第１実施形態からＬＵＴが変更されている。
画質調整部３０から供給される制御信号CaがＲ成分、Ｇ成分、Ｂ成分の混合比として「１：１：１」を表す場合には、ＬＵＴ２０２Ｒ、２０２Ｇ、２０２Ｂが用いられてＳＦコードScr、ＳＦコードScg、ＳＦコードScbが生成される。なお、図１０にＬＵＴ２０２Ｒを示しているが、ＬＵＴ２０２ＧとＬＵＴ２０２Ｂの内容は、ＬＵＴ２０２Ｒと同じであるため、図示を省略する。
また、画質調整部３０から供給される制御信号CaがＲ、Ｇ、Ｂの混合比として「１：０．６：０．５５」を表す場合には、図１１のＬＵＴ２０３Ｇと、図１２のＬＵＴ２０３Ｂが用いられてＳＦコードScr、ＳＦコードScg、ＳＦコードScbが生成される。
【００４８】
本実施形態に係るＳＦコード変換部５２は、制御信号Caが「１：１：１」の混合比を表すものである場合、画質調整部３０から供給される映像信号Daを、ＬＵＴ２０２Ｒ、ＬＵＴ２０２Ｇ、ＬＵＴ２０２Ｂを用いてＳＦコードに変換する。
ここで、映像信号DaにおけるＲ成分の階調レベルが２５３である場合、ＬＵＴ２０２Ｒが参照され、ＳＦコードScrは、第１グループのビットｃ1〜ｃ10が「0011111111」となり、第２グループのビットｃ11〜ｃ20が「0101111111」となる。
また、映像信号DaにおけるＧ成分の階調レベルが２５３である場合、ＬＵＴ２０２Ｇが参照され、ＳＦコードScgは、第１グループのビットｃ1〜ｃ10が「0011111111」となり、第２グループのビットｃ11〜ｃ20が「0101111111」となる。
また、映像信号DaにおけるＢ成分の階調レベルが２５３である場合、ＬＵＴ２０２Ｂが参照され、ＳＦコードScbは、第１グループのビットｃ1〜ｃ10が「0011111111」となり、第２グループのビットｃ11〜ｃ20が「0101111111」となる。
ＳＦコード変換部５２で生成されたＳＦコードScr、ＳＦコードScg、ＳＦコードScbは、メモリー制御部４０によってメモリー４５に書き込まれる。
【００４９】
一方、本実施形態に係るＳＦコード変換部５２は、制御信号Caが「１：０．６：０．５５」の混合比を表すものである場合、画質調整部３０から供給される映像信号Daを、ＬＵＴ２０２Ｒ、ＬＵＴ２０３Ｇ、ＬＵＴ２０３Ｂを用いてＳＦコードに変換する。
ここで、映像信号DaにおけるＲの成分の階調レベルが２５３である場合、ＬＵＴ２０２Ｒが参照され、ＳＦコードScrは、第１グループのビットｃ1〜ｃ10が「0011111111」となり、第２グループのビットｃ11〜ｃ20が「0101111111」となる。
また、映像信号DaにおけるＧの成分の階調レベルが２５３である場合、ＬＵＴ２０３Ｇが参照され、ＳＦコードScgは、第１グループのビットｃ1〜ｃ10が「0011111111」となり、第２グループのビットｃ11〜ｃ20が「0011111111」となる。つまり、オンレベルの電圧が変更され、オンレベルとオフレベルの電圧範囲が変更されることに対応してＳＦコードの内容が最適化されている。
また、映像信号DaにおけるＢの成分の階調レベルが２５３である場合、ＬＵＴ２０３Ｂが参照され、ＳＦコードScbは、第１グループのビットｃ1〜ｃ10が「1011111111」となり、第２グループのビットｃ11〜ｃ20が「0011111111」となる。つまり、ここでもオンレベルの電圧が変更され、オンレベルとオフレベルの電圧範囲が変更されることに対応してＳＦコードの内容が最適化されている。
ＳＦコード変換部５２で生成されたＳＦコードScr、ＳＦコードScg、ＳＦコードScbは、メモリー制御部４０によってメモリー４５に書き込まれる。
【００５０】
［電子機器］
図１３は、本発明の一実施形態に係る電子機器の一例であるプロジェクターの構成を模式的に示した図である。
プロジェクター２１００は、ライトバルブを用いたプロジェクターである。プロジェクター２１００においては、ハロゲンランプ等の白色光源となるランプユニット２１０２が設けられている。このランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００５１】
このプロジェクター２１００では、上述した第１実施形態または第２実施形態の電気光学装置１０の表示パネル１００Ｒ、１００Ｇ、１００Ｂが、ライトバルブ１００Ｒ、１００Ｇおよび１００Ｂに対応している。そして、Ｒ色、Ｇ色、Ｂ色のそれぞれに対応する映像信号がそれぞれ上位回路から供給されて、ＳＦコードに変換された後、当該ＳＦコードのうち、画素の位置などに応じたＳＦビットが選択される構成となっている。
ライトバルブ１００Ｒ、１００Ｇおよび１００Ｂは、Ｒ色、Ｇ色、Ｂ色のそれぞれに対応するＳＦビットに応じて、サブフィールド毎にそれぞれ駆動されるものである。ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００５２】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００５３】
電子機器としては、図１３を参照して説明した他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記電気光学装置が適用可能なのは言うまでもない。
【００５４】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５５】
Ｒ成分、Ｇ成分、Ｂ成分の混合比は、上述した実施形態では、「１：１：１」と「１：０．６：０．５５」が選択されるが、これらの混合比は一例であり、これらの混合比以外の混合比が選択されてもよい。
上述した実施形態では、電圧制御部６０が制御信号Cbr、制御信号Cbg、制御信号Cbbを出力しているが、画質調整部２０が制御信号Cbr、制御信号Cbg、制御信号Cbbをデータ線駆動回路１４０へ出力してもよい。
上述した実施形態では、最大階調レベルの時に１フレームの期間の全てをオンレベルとしているが、最大階調レベルの時に１フレームの期間の全てをオンレベルとしなくてもよい。
【００５６】
本発明においては、画素１１０を構成する液晶素子１２０は、透過型に限られず反射型であっても良い。さらに、ノーマリーブラックモードに限られず、ノーマリーホワイトモードであっても良い。
ここで、液晶素子１２０をノーマリーホワイトモードとしたとき、オンレベルとは、液晶素子１２０に電圧を印加して暗状態にさせるデータ信号をいい、オフレベルとは、液晶素子１２０を明状態にさせるデータ信号をいう。
なお、ノーマリーホワイトモードとした時は、上記ＬＵＴのＳＦコードについて各ビットの「１」と「０」とを反転させる。
また、ノーマリーホワイトモードとした時は、オンレベルの電圧を５Ｖとし、Ｒ成分、Ｇ成分、Ｂ成分の混合比に応じて、オンレベルの電圧を変更する。すなわち、ノーマリーホワイトモードにおいて、Ｒ成分、Ｇ成分、Ｂ成分の混合比を「１：１：１」にした場合、オフレベルをそれぞれ０Ｖとすると、オンレベルはそれぞれを５Ｖとなる。また、Ｒ成分、Ｇ成分、Ｂ成分の混合比を「１：０．６：０．５５」にした場合、オフレベルは、ＶＴ特性に応じて、それぞれ０Ｖ、２Ｖ、２．２Ｖとなり、オンレベルの電圧は５Ｖ、５Ｖ、５Ｖとなる。よって、駆動電圧のオンレベルとオフレベルの電圧範囲は、Ｒ成分が５Ｖ、Ｇ成分が３Ｖ、Ｂ成分が２．８Ｖとなり、Ｂ成分の電圧範囲が一番小さくなる。
なお、ノーマリーホワイトモードにおいてオン駆動とは、オンレベルの電圧、即ち、液晶素子１２０を暗状態にさせるデータ信号を供給する駆動をいい、ノーマリーホワイトモードにおいてオフ駆動とは、オフレベルの電圧、即ち、液晶素子１２０を明状態にさせるデータ信号を供給する駆動をいう。なお、オフレベルについては、例えば、正極性の場合には５Ｖで負極性の場合には−５Ｖとする例がある。
【００５７】
上述した実施形態では、映像信号Vidは、画像を３つの原色、即ち、赤（Ｒ）色、緑（Ｇ）色、青（Ｂ）色の三成分で表す信号であるが、シアン（Ｃ）色、マゼンタ（Ｍ）色、イエロー（Ｙ）色、ホワイト（Ｗ）色等の３つ以上の色成分を含む信号であってもよい。
上述した実施形態においては、サブフィールドの数は２０個となっているが、２０個に限定されるものではなく、１９個以下または２１個以上であってもよい。
本発明においては、表示素子は、液晶素子１２０に限られず、例えばＥＬ素子にも適用可能である。
上述した実施形態では、Ｒ成分、Ｇ成分、Ｂ成分の混合比を「１：０．６：０．５５」にした場合のオンレベルの電圧は、それぞれ、５Ｖ、３．２Ｖ、３Ｖとなり、混合比の比率の大小と電圧の大小の順が一致しているが、オンレベルの電圧は、上記したようにＶＴ特性により決まるため、混合比の比率の大小と、オンレベルの電圧の大小の順が、一致しない場合があってもよい。このように、複数の色の混合比に応じた駆動電圧とは、混合比を達成する駆動電圧であればよい。
上述した実施形態では、Ｒ、Ｇ、Ｂの三色に対応した３つの表示パネル１００Ｒ、１００Ｇ、１００Ｂを駆動しているが、１つの表示パネルに三色に対応した３つの画素Ｒ、Ｇ、Ｂを形成して、それぞれの画素を混合比に応じて駆動する構成であってもよい。
【００５８】
上述した電子機器では、一つの電気光学装置１０でＲ、Ｇ、Ｂの三色に対応した３つの表示パネル１００Ｒ、１００Ｇ、１００Ｂを制御しているが、一つの電気光学装置で一つの表示パネル１００を制御し、Ｒ、Ｇ、Ｂの三色に対応して電気光学装置を３つ設けるようにしてもよい。この構成の場合、映像信号を色毎に分け、各色に対応した電気光学装置に映像信号を入力する。また、ＬＵＴは、各色に対応して電気光学装置毎にＳＦコード変換部５２に設ける。
【符号の説明】
【００５９】
１０…電気光学装置、２０…タイミング制御回路、３０…画質調整部、４０…メモリー制御部、４５…メモリー、５２…ＳＦコード変換部、６０…電圧制御部、１００、１００Ｒ、１００Ｇ、１００Ｂ…表示パネル、１１０…画素、１１２…走査線、１１４…データ線、１２０…液晶素子、１３０…走査線駆動回路、１４０…データ線駆動回路、２１００…プロジェクター
【図１】
2011150004.tif 000003
【図２】
2011150004.tif 000004
【図３】
2011150004.tif 000005
【図４】
2011150004.tif 000006
【図５】
2011150004.tif 000007
【図６】
2011150004.tif 000008
【図７】
2011150004.tif 000009
【図８】
2011150004.tif 000010
【図９】
2011150004.tif 000011
【図１０】
2011150004.tif 000012
【図１１】
2011150004.tif 000013
【図１２】
2011150004.tif 000014
【図１３】
2011150004.tif 000015